(57)【要約】【課題】セメント、骨材及び補強繊維が配合され、固定分濃度が３０〜４０％である高濃度のセメントスラリーを無機質板表面に均一に塗装する。【解決手段】セメント、骨材及び補強繊維が配合され、固形分濃度が３０〜４０％のセメントスラリー（１）をリシンガン（２）により、シート状に成形された無機質板（３）に対して平行かつ無機質板の搬送方向（Ｘ）と逆向きに吐出させて無機質板を塗装する。【選択図】          図１
2004284087.tif 000002
【特許請求の範囲】
【請求項１】
セメント、骨材及び補強繊維が配合され、固形分濃度が３０〜４０％のセメントスラリーをリシンガンにより、シート状に成形された無機質板に対して平行かつ無機質板の搬送方向と逆向きに吐出させて無機質板を塗装することを特徴とする無機質板の塗装方法。
【請求項２】
リシンガンをシート状の無機質板の幅方向に複数機設置し、リシンガンより吐出されたセメントスラリーが無機質板に向かって落下し始める部分にエアーを吹き付け、無機質板に塗装されるセメントスラリーの塗装パターンを均一にする請求項１記載の無機質板の塗装方法。
【発明の詳細な説明】
【０００１】
【発明の属する技術分野】
この出願の発明は、無機質板の塗装方法に関するものである。さらに詳しくは、この出願の発明は、セメント、骨材及び補強繊維が配合され、固定分濃度が３０〜４０％である高濃度のセメントスラリーを無機質板表面に均一に塗装することのできる無機質板の塗装方法に関するものである。
【０００２】
【従来の技術】
外壁材、屋根材、天井材等の住設用建材には、セメントを主成分とし、補強繊維、骨材等が適宜添加された水硬性材料から形成される無機質板が多用されている。この無機質板については、風合いのある外観が得られるように、その表面にセメント、骨材及び補強繊維が配合されたセメントスラリーを塗装することが行われている。セメントスラリーの塗装には、これまでに、ブラシロールを用い、ブラシの間に染み込ませたセメントスラリーを無機質板表面に飛散させて塗装する方法が知られている（たとえば、特許文献１参照）。
【０００３】
【特許文献１】
特開昭５３−３４３７号公報
【０００４】
【発明が解決しようとする課題】
しかしながら、ブラシロールを用いた塗装方法では、塗装することのできるセメントスラリーの固形分濃度に限界があり、固定分濃度が３０〜４０％という高濃度のセメントスラリーを塗装することはできない。より高い質感を得るためには、高濃度のセメントスラリーの塗装は有効である。一方、高濃度のセメントスラリーについては、固形分と水が分離しやすく、均一な塗装は難しいという面がある。
【０００５】
この出願の発明は、このような事情に鑑みてなされたものであり、セメント、骨材及び補強繊維が配合され、固定分濃度が３０〜４０％である高濃度のセメントスラリーを無機質板表面に均一に塗装することのできる無機質板の塗装方法を提供することを解決すべき課題としている。
【０００６】
【課題を解決するための手段】
この出願の発明は、上記の課題を解決するものとして、セメント、骨材及び補強繊維が配合され、固形分濃度が３０〜４０％のセメントスラリーをリシンガンにより、シート状に成形された無機質板に対して平行かつ無機質板の搬送方向と逆向きに吐出させて無機質板を塗装することを特徴とする無機質板の塗装方法（請求項１）を提供する。
【０００７】
また、この出願の発明は、リシンガンをシート状の無機質板の幅方向に複数機設置し、リシンガンより吐出されたセメントスラリーが無機質板に向かって落下し始める部分にエアーを吹き付け、無機質板に塗装されるセメントスラリーの塗装パターンを均一にすること（請求項２）を一態様として提供する。
【０００８】
以下、図面に沿ってこの出願の発明の無機質板の塗装方法についてさらに詳しく説明する。
【０００９】
【発明の実施の形態】
図１は、この出願の発明の無機質板の塗装方法の一実施形態を概念的に示した側面図である。
【００１０】
この出願の発明の無機質板の塗装方法では、セメント、骨材及び補強繊維が配合され、固形分濃度が３０〜４０％のセメントスラリー（１）をリシンガン（２）により、シート状に成形された無機質板（３）に対して平行かつ無機質板（３）の搬送方向（Ｘ）と逆向きに吐出させて無機質板（３）を塗装する。リシンガン（２）を使用するため、セメントスラリー（１）が固形分濃度３０〜４０％の高濃度であっても、セメントスラリー（１）を固形分と水に分離させずに安定に吐出させることができ、無機質板（３）に塗装することができる。また、リシンガン（２）は、無機質板（３）と平行に配置されているため、吐出圧によりセメントスラリー（１）を無機質板（３）の搬送方向（Ｘ）に一定長さ（Ｌ）で散布することができ（たとえば７００ｍｍ以上とすることができる）、無機質板（３）はシート状であり、塗装される表面が、搬送によりリシンガン（２）に近づくように移動するため、セメントスラリー（１）は重ね塗りされ、均一な塗装が実現される。このように、この出願の発明の無機質板の塗装方法は、セメント、骨材及び補強繊維が配合され、固定分濃度が３０〜４０％の高濃度のセメントスラリー（１）を無機質板（３）の表面に均一に塗装することを可能とする。
【００１１】
なお、図１に示した実施形態は、無機質板（３）の成形をフローオン式の抄造法により行う場合を示している。すなわち、無端状に形成され、一定方向に移動する抄造ベルト（４）に基材用のセメントスラリーがフローボックス（５）から供給され、抄造ベルト（４）上でセメントスラリーが展開し、抄造ベルト（４）により搬送される間に抄造ベルト（４）の下方より減圧吸引され、脱水されてシート状の無機質板（３）が形成されるという方式である。しかしながら、この出願の発明の無機質板の塗装方法は、無機質板（３）がシート状に成形され、搬送される限り、無機質板（３）の成形方法を特に限定しない。フローオン式以外の抄造法や押出成形法等に対して適用可能である。
【００１２】
また、この出願の発明の無機質板の塗装方法において、リシンガン（２）からのセメントスラリー（１）の吐出方向における平行という規定には、無機質板（３）の搬送方向（Ｘ）に対して完全に平行である場合はもちろん、ほぼ平行とみなし得る位置関係も含まれる。
【００１３】
リシンガン（２）は、この出願の発明の塗装方法では、設置数は、一機以上とすることができ、シート状に成形された無機質板（３）の幅に応じて適宜定めることができる。
【００１４】
リシンガン（２）をシート状の無機質板（３）の幅方向に複数機設置する場合、図２に示したように、無機質板（３）の表面におけるセメントスラリー（１）の塗装パターンは、一般に、山形が連なった形状になりやすい。リシンガン（２）は、吐出させるセメントスラリーの厚さ、幅等を適宜調整する機能を有するが、複数機をシート状の無機質板（３）の幅方向に所定間隔で設置する場合、各機によるセメントスラリー（１）の塗装には山形のパターンが形成されやすい。その結果、リシンガン（２）間の中央部におけるセメントスラリー（１）の塗装パターンには、図２に示したような谷部（６）が形成され、塗装パターンは山形が連なった形状になりやすい。
【００１５】
そこで、この出願の発明の無機質板の塗装方法では、図３に示したように、リシンガン（２）より吐出されたセメントスラリー（１）が無機質板（３）に向かって落下し始める部分（７）にエアー（８）を吹き付けるようにすることができる。エアー（８）の吹き付けは、具体的にはエアーノズル（９）によって行うことができる。エアーノズル（９）をセメントスラリー（１）が無機質板（３）に向かって落下し始める部分（７）の上方に配置し、エアー（８）を吹き出させ、セメントスラリー（１）が無機質板（３）に向かって落下し始める部分（７）にエアー（８）を吹き付ける。このようなエアー（８）の吹き付けにより、無機質板（３）に塗装されるセメントスラリー（１）の塗装パターンは、図２に示したように、山部（１０）が谷部（６）方向に移動し、均され、均一となる。固形分濃度が３０〜４０％という高濃度のセメントスラリー（１）をより均一に無機質板（３）に塗装することが可能となる。
【００１６】
もちろん、この出願の発明は、以上の実施形態によって限定されるものではない。リシンガンの構成及び構造、セメントスラリーの配合比、無機質板の成形方法等の細部については様々な態様が可能であることはいうまでもない。
【００１７】
【発明の効果】
以上詳しく説明したとおり、この出願の発明によって、セメント、骨材及び補強繊維が配合され、固定分濃度が３０〜４０％である高濃度のセメントスラリーを無機質板表面に均一に塗装することができる。質感の高い無機質板の製造が可能となる。
【図面の簡単な説明】
【図１】この出願の発明の無機質板の塗装方法の一実施形態を概念的に示した側面図である。
【図２】リシンガンを無機質板の幅方向に複数機設置する場合の無機質板表面におけるセメントスラリーの塗布パターンとその改善について概念的に示した断面図である。
【図３】複数機のリシンガンにより無機質板を塗装する場合のセメントスラリーの塗装パターンを改善する方法を概念的に示した断面図である。
【符号の説明】
１    セメントスラリー
２    リシンガン
３    無機質板
４    抄造ベルト
５    フローボックス
６    谷部
７    セメントスラリーが無機質板に向かって落下し始める部分
８    エアー
９    エアーノズル
１０    山部
【図１】
2004284087.tif 000003
【図２】
2004284087.tif 000004
【図３】
2004284087.tif 000005